(57)【要約】      （修正有）【課題】道路側に手動巻上げ機のハンドルの回転軌跡が伸びるとがなく、２人の作業員の巻上げ巻き降ろし作業を互いが視野で捕らえながら確認できる防雪柵の防雪パネル昇降用の防雪パネル手動巻上げ機を提供する。【解決手段】防雪柵1の防雪パネル7手動巻上げ機9において、所定間隔をおいて配置される支柱2間に複数の防雪パネル7を支柱2に沿って昇降させるためのハンドル11を備えた手動巻上げ機9であって、道路側の支柱2下部に取付けられるハンドル11を備えた手動巻上げ機9の回転軸を道路幅方向とする。【選択図】図１
2005171620.tif 000002
【特許請求の範囲】
【請求項１】
道路等に沿って所定間隔をおいて配置される支柱間に複数の防雪パネルを支柱に沿って昇降させるためのハンドルを備えた手動巻上げ機であって、道路側の支柱下部に取付けられるハンドルを備えた手動巻上げ機の回転軸の軸方向を道路幅方向とすることを特徴とする防雪柵の防雪パネル手動巻上げ機。
【請求項２】
前記手動巻上げ機が支柱下部の道路側に設置された支柱補強部材に着脱自在に取付けることを特徴とする請求項１に記載の防雪柵の防雪パネル手動巻上げ機。
【発明の詳細な説明】
【技術分野】
【０００１】
本発明は、鉄道や道路等に沿って設置される地吹雪等による視野障害や吹き溜まりによる雪の堆積を防止し、積雪期の交通を確保する防雪柵において、積雪期の防雪パネルの展開、積雪期以外の防雪パネルの収納のための防雪パネル昇降用の防雪パネル手動巻上げ機に関する。
【背景技術】
【０００２】
従来、鉄道や道路に沿って所定間隔を置いて立設される支柱間に複数の防雪パネルを昇降自在に設け、積雪期には、防雪パネルを上昇させ展開した状態で固定し、それ以外の時期は、通行時の圧迫感を除去し、視界を確保し、周囲の景観を損なわないようにするために、複数の防雪パネルを下降させ支柱の下部に折畳んだ状態で収納するか、又は防雪パネルを折畳んで支柱上部に収納する防雪柵が開発されている。
このような防雪柵の防雪パネルの支柱に沿っての昇降作業は、支柱の道路側に固定又は着脱自在に取付ける手動巻上げ機により実施される。支柱の上端には滑車が設置され、道路側の支柱の下部に取付けられる手動巻上げ機の回転軸の軸方向は道路の進行方向になるように取付けられていた。
【特許文献１】特開平１０−１８２３３号公報
【発明の開示】
【発明が解決しようとする課題】
【０００３】
従来の手動巻上げ機１は、図３（ａ）（ｂ）に示されるように、道路１０等に沿って設置される防雪柵１は、所定間隔でコンクリート基礎３に支持される支柱２を有し、一対の支柱２間に折畳み自在の防雪パネルが昇降自在に設置される。防雪パネルを昇降するため支柱２の下部の道路側に手動巻上げ機９が取付けられ、その回転軸の軸方向は道路の進行方向に向くように取付けられていたため、手動巻上げ機９のハンドル１１の回転軌跡は道路１０の幅方向に伸びることになる。そのため、手動巻上げ機９の回転を容易にするためハンドル１１の柄１３の長さを長くするとハンドル１１の回転軌跡が大きくなり、ハンドル１１の回転軌跡が支柱２にかからなくするために手動巻き上げ機９の取付け位置を支柱２からの一定の距離を離さなければならず、その結果ハンドル１１の回転軌跡が道路１０の幅方向の一部に伸び、防雪パネルの昇降作業が道路１０を走行する車の邪魔になるという問題が発生する。
また、従来の手動巻上げ機９は、一対の支柱２に取付けられた手動巻上げ機９を２人の作業員がそれぞれ操作するため、２人の作業員の巻き上げ速度を合わせなければならないが、手動巻上げ機９の回転軸の軸方向が道路の進行方向に取付けられた場合、２人の作業員の利き腕が同じであると、一方の作業員は他方の作業員に対して背中向きの姿勢でハンドル１１を回転して巻上げ作業をしなければならず、他方の作業員を視野で捕らえることができず、手動巻上げ機９の巻上げ速度を視野で確認しながら合わせることが困難になるという問題を有するものであった。
【０００４】
本発明は、従来の防雪パネルの手動巻上げ機の持つ問題を解決した、道路の幅方向への手動巻上げ機のハンドルの回転軌跡が伸びることがなく、２人の作業員の巻上げ作業が利き腕の一致、不一致にかかわらず互いが視野で捕らえながら確認できる防雪柵の防雪パネル昇降用の防雪パネル手動巻上げ機を提供することを目的とする。
【課題を解決するための手段】
【０００５】
本第１発明は、道路等に沿って所定間隔をおいて配置される支柱間に複数の防雪パネルを支柱に沿って昇降させるためのハンドルを備えた手動巻上げ機であって、道路側の支柱下部に取付けられるハンドルを備えた手動巻上げ機の回転軸の軸方向を道路幅方向とすることを特徴とする。
【０００６】
本第２発明は、本第１発明の防雪柵の防雪パネル手動巻上げ機において、前記手動巻上げ機が道路側の支柱下部に設置される支柱補強部材に着脱自在に取付けることを特徴とする。
【発明の効果】
【０００７】
本発明の所定間隔をおいて配置される支柱間に複数の防雪パネルを支柱に沿って昇降させるためのハンドルを備えた手動巻上げ機であって、道路側の支柱下部に設置されるハンドルを備えた手動巻上げ機の回転軸の軸方向を道路の幅方向とする構成により、手動巻上げ機の取付け位置を支柱との距離を考慮することなく決定でき、ハンドルの回転軌跡が大きくなっても道路幅方向に伸びることがなく、手動巻上げ機の防雪パネルの巻上げ巻き降ろし作業による車両通行の妨害になることがなく、また、一対の支柱の手動巻上げ機による２人の作業員の手動巻上げ機による昇降速度を合わせるのも利き腕の一致、不一致にかかわらず互いに視野で確認できるため容易となる。
手動巻上げ機が道路側の支柱下部に設置された支柱補強部材に着脱自在に取付ける構成により、安定した巻上げ巻き降ろし作業が可能となる。
【発明を実施するための最良の形態】
【０００８】
本発明の実施の形態を図により説明する。図１及び図２は、防雪柵１の防雪パネル昇降用の手動巻上げ機９の側面図と正面図である。図１は、防雪パネル７を支柱２の上部に折畳んで収納した状態を示すものである。防雪柵１は、道路１０に沿って所定間隔でコンクリート基礎３上にアンカーボルト４で固定される支柱２を有する。支柱２の下部の道路側には、補強フレーム５が設置され、支柱２の上端には、滑車６が設置される。一対の支柱２の間には複数の防雪パネル７が昇降自在に設置される。複数の防雪パネル７は、各防雪パネル７に取付けた横杆がリンク機構又はワイヤ等で連結され折畳み自在とされる。積雪期には、防雪パネル７を収納位置から展開しその上端を固定し、それ以外の時期は下降させ折畳み支柱２の下部に収納するか、支柱２の上部に折畳んで収納する。防雪パネル７を昇降するために支柱２の下部道路側の補強フレーム５にボルト等の固定手段を介して巻上げ機取付け部材８を着脱自在に固定する。巻上げ機取付け部材８に手動巻上げ機９を固定する。手動巻上げ機９は、その回転軸の軸方向が道路１０の幅方向に伸び、手動巻上げ機９には着脱自在にハンドル１１が取付けられる。ハンドル１１には、所定長さのハンドルの柄１３を有し、手動巻上げ機９により巻き取り巻き戻されるワイヤロープ１２は、支柱２の上端部に取付けられた滑車６を介して防雪パネル７の支持材に連結され、防雪パネル７を一対の支柱２に沿って昇降させる。
【０００９】
手動巻上げ機９の回転軸の軸方向が道路の幅方向であるためハンドル１１の回転軌跡が道路幅方向に伸びることがなく、防雪柵１の防雪パネル７の昇降作業が車両の通行の邪魔になることがない。
また、一対の支柱２間で２人の作業員で防雪パネル７の昇降作業をする場合、利き腕の一致、不一致にかかわらず互いを視野にいれながら作業ができるので、防雪パネル昇降作業が効率的に実施可能となる。
【図面の簡単な説明】
【００１０】
【図１】本発明の一実施形態を示す側面図である。
【図２】図１の正面図である。
【図３】（ａ）（ｂ）従来技術を示す図である。
【符号の説明】
【００１１】
１：防雪柵
２：支柱
３：コンクリート基礎
４：アンカーボルト
５：補強フレーム
６：滑車
７：防雪パネル
８：巻上げ機取付部材
９：手動巻上げ機
１０：道路
１１：ハンドル
１２：ワイヤロープ
１３：ハンドルの柄
【図１】
2005171620.tif 000003
【図２】
2005171620.tif 000004
【図３】
2005171620.tif 000005